【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
ピクチャ内の少なくとも一つの大きなブロックにつき、イントラ予測を信号伝達することにより、ピクチャデータを符号化するビデオエンコーダを備え、前記イントラ予測は、基本的符号化単位サイズを選択し、該基本的符号化単位サイズについての単一の空間イントラ・パーティション・タイプを割り当てることにより信号伝達され、前記単一の空間イントラ・パーティション・タイプは、複数の空間イントラ・パーティション・タイプから選択可能であり、前記少なくとも一つの大きなブロックは、前記基本的符号化単位のブロックサイズより大きい大きなブロックサイズを有し、
前記イントラ予測は、階層的なレイヤイントラ予測であり、前記大きなブロックサイズから前記基本的符号化単位サイズに分割すること、および前記基本的符号化単位サイズから前記大きなブロックサイズに結合することの少なくとも一つにより、前記少なくとも一つの大きなブロックにつき実行される、装置。
【請求項２】
前記複数の空間イントラ・パーティション・タイプの各々については、複数の利用可能なイントラ予測モードのうち最も頻繁に使用される特定のイントラ予測モードに対し、より高い優先度が割り当てられる、請求項１に記載の装置。
【請求項３】
前記大きなブロックサイズが適宜、選択される、請求項１に記載の装置。
【請求項４】
前記信号伝達は、１つ以上のハイレベル・シンタックス要素を使用して行われる、請求項１に記載の装置。
【請求項５】
空間イントラ・パーティション・タイプテーブルおよびイントラ予測モードテーブルの少なくとも一つが事前に格納され、前記ビデオエンコーダにより使用されて、前記少なくとも一つの大きなブロックを符号化し、前記空間イントラ・パーティション・タイプテーブルおよび前記イントラ予測モードテーブルの少なくとも一つは、事前に格納され、対応するビデオデコーダにより使用されて、前記少なくとも一つの大きなブロックを復号化するように構成されている、請求項１に記載の装置。
【請求項６】
空間イントラ・パーティション・タイプテーブルおよびイントラ予測モードテーブルの少なくとも一つが、前記ビデオエンコーダにより使用されて前記少なくとも一つの大きなブロックを符号化し、１つ以上のハイレベル・シンタックス要素を使用して前記ビデオエンコーダにより送信される、請求項１に記載の装置。
【請求項７】
ピクチャ内の少なくとも一つの大きなブロックにつき、イントラ予測を信号伝達することにより、ピクチャデータを符号化するステップを備え、前記イントラ予測は、基本的符号化単位サイズを選択し、基本的符号化単位サイズについての単一の空間イントラ・パーティション・タイプを割り当てることにより信号伝達され、前記単一の空間イントラ・パーティション・タイプは、複数の空間イントラ・パーティション・タイプから選択可能であり、前記少なくとも一つの大きなブロックは、前記基本的符号化単位のブロックサイズより大きい大きなブロックサイズを有し、
前記イントラ予測は、階層的なレイヤイントラ予測であり、前記大きなブロックサイズから前記基本的符号化単位サイズに分割すること、および前記基本的符号化単位サイズから前記大きなブロックサイズに結合することの少なくとも一つにより、前記少なくとも一つの大きなブロックにつき実行される、ビデオエンコーダにおける方法。
【請求項８】
前記複数の空間イントラ・パーティション・タイプの各々については、複数の利用可能なイントラ予測モードのうち最も頻繁に使用される特定のイントラ予測モードに対し、より高い優先度が割り当てられる、請求項７に記載の方法。
【請求項９】
前記大きなブロックサイズが適宜、選択される、請求項７に記載の方法。
【請求項１０】
前記信号伝達は、１つ以上のハイレベル・シンタックス要素を使用して行われる、請求項７に記載の方法。
【請求項１１】
空間イントラ・パーティション・タイプテーブルおよびイントラ予測モードテーブルの少なくとも一つが事前に格納され、前記ビデオエンコーダにより使用されて、前記少なくとも一つの大きなブロックを符号化し、前記空間イントラ・パーティション・タイプテーブルおよび前記イントラ予測モードテーブルの少なくとも一つは、事前に格納され、対応するビデオデコーダにより使用されて、前記少なくとも一つの大きなブロックを復号化するように構成されている、請求項７に記載の方法。
【請求項１２】
空間イントラ・パーティション・タイプテーブルおよびイントラ予測モードテーブルの少なくとも一つが、前記ビデオエンコーダにより使用されて前記少なくとも一つの大きなブロックを符号化し、１つ以上のハイレベル・シンタックス要素を使用して前記ビデオエンコーダにより送信される、請求項７に記載の方法。
【請求項１３】
ピクチャ内の少なくとも一つの大きなブロックにつき、イントラ予測が実行されるべきことを決定することにより、ピクチャデータを復号化するビデオデコーダを備え、前記イントラ予測は、基本的符号化単位サイズを決定し、該基本的符号化単位サイズにつき、単一の空間イントラ・パーティション・タイプを決定することにより決定され、前記単一の空間イントラ・パーティション・タイプは、複数の空間イントラ・パーティション・タイプから決定可能であり、前記少なくとも一つの大きなブロックは、前記基本的符号化単位のブロックサイズより大きい大きなブロックサイズを有し、
前記イントラ予測は、階層的なレイヤイントラ予測であり、前記大きなブロックサイズから前記基本的符号化単位サイズに分割すること、および前記基本的符号化単位サイズから前記大きなブロックサイズに結合することの少なくとも一つにより、前記少なくとも一つの大きなブロックにつき実行される、装置。
【請求項１４】
前記複数の空間イントラ・パーティション・タイプの各々については、複数の利用可能なイントラ予測モードのうち最も頻繁に使用される特定のイントラ予測モードに対し、より高い優先度が割り当てられる、請求項１３に記載の装置。
【請求項１５】
前記大きなブロックサイズが適宜、決定される、請求項１３に記載の装置。
【請求項１６】
前記イントラ予測は、１つ以上のハイレベル・シンタックス要素を使用して決定される、請求項１３に記載の装置。
【請求項１７】
空間イントラ・パーティション・タイプテーブルおよびイントラ予測モードテーブルの少なくとも一つが事前に格納され、前記ビデオデコーダにより使用されて、前記少なくとも一つの大きなブロックを復号化し、前記少なくとも一つの大きなブロックは、対応するエンコーダにより、その場所に事前に格納されている前記空間イントラ・パーティション・タイプテーブルおよび前記イントラ予測モードテーブルの少なくとも一つを使用して、事前に符号化されている、請求項１３に記載の装置。
【請求項１８】
空間イントラ・パーティション・タイプテーブルおよびイントラ予測モードテーブルの少なくとも一つは、一つ以上のハイレベル・シンタックス要素を使用して前記ビデオデコーダにより受信され、前記ビデオデコーダにより使用されて前記少なくとも一つの大きなブロックを復号化する、請求項１３に記載の装置。
【請求項１９】
ピクチャ内の少なくとも一つの大きなブロックにつき、イントラ予測が実行されることを決定することにより、ピクチャデータを復号化するステップを備え、前記イントラ予測は、基本的符号化単位サイズを決定し、該基本的符号化単位サイズにつき単一の空間イントラ・パーティション・タイプを決定することにより決定され、前記単一の空間イントラ・パーティション・タイプは、複数の空間イントラ・パーティション・タイプから決定可能であり、前記少なくとも一つの大きなブロックは、前記基本的符号化単位のブロックサイズより大きい大きなブロックサイズを有し、
前記イントラ予測は、階層的なレイヤイントラ予測であり、前記大きなブロックサイズから前記基本的符号化単位サイズに分割すること、および前記基本的符号化単位サイズから前記大きなブロックサイズに結合することの少なくとも一つにより、前記少なくとも一つの大きなブロックにつき実行される、ビデオデコーダにおける方法。
【請求項２０】
前記複数の空間イントラ・パーティション・タイプの各々については、複数の利用可能なイントラ予測モードの中から、最も頻繁に使用される特定のイントラ予測モードのうちより高い優先度が割り当てられる、請求項１９に記載の方法。
【請求項２１】
前記大きなブロックサイズが適宜、決定される、請求項１９に記載の方法。
【請求項２２】
前記イントラ予測は、１つ以上のハイレベル・シンタックス要素を使用して決定される、請求項１９に記載の方法。
【請求項２３】
空間イントラ・パーティション・タイプテーブルおよびイントラ予測モードテーブルの少なくとも一つが事前に格納され、前記ビデオデコーダにより使用されて、前記少なくとも一つの大きなブロックを復号化し、前記少なくとも一つの大きなブロックは、対応するエンコーダにより、その場所に事前に格納されている前記空間イントラ・パーティション・タイプテーブルおよび前記イントラ予測モードテーブルの少なくとも一つを使用して、事前に符号化されている、請求項１９に記載の方法。
【請求項２４】
空間イントラ・パーティション・タイプテーブルおよびイントラ予測モードテーブルの少なくとも一つは、一つ以上のハイレベル・シンタックス要素を使用して前記ビデオデコーダにより受信され、前記ビデオデコーダにより使用されて前記少なくとも一つの大きなブロックを復号化する、請求項１９に記載の方法。
【請求項２５】
符号化されたビデオ信号データを有する記憶媒体であって、
ピクチャ内の少なくとも一つの大きなブロックについて、イントラ予測を信号伝達することにより符号化されたピクチャデータを備え、前記イントラ予測は、基本的符号化単位サイズを選択し、該基本的符号化単位サイズについての単一の空間イントラ・パーティション・タイプを割り当てることにより信号伝達され、前記単一の空間イントラ・パーティション・タイプは、複数の空間イントラ・パーティション・タイプから選択可能であり、前記少なくとも一つの大きなブロックは、前記基本的符号化単位のブロックサイズより大きい大きなブロックサイズを有し、
前記イントラ予測は、階層的なレイヤイントラ予測であり、前記大きなブロックサイズから前記基本的符号化単位サイズに分割すること、および前記基本的符号化単位サイズから前記大きなブロックサイズに結合することの少なくとも一つにより、前記少なくとも一つの大きなブロックにつき実行される、前記記憶媒体。